(57)【要約】      （修正有）【課題】収納物の保護能力及び収納の利便性がより高い鞄を提供する。【解決手段】鞄は、鞄内部の互いに向き合う両側の壁面に、該鞄内部を上下に仕切るための１枚以上の仕切り部材をそれぞれ上下方向の任意の位置に固定できる第一の固定部材を備える。第一の固定部材は、壁面の上下方向の半分以上の長さで上下方向に延びる帯状である。【選択図】図２
0003165181.tif 000002
【実用新案登録請求の範囲】
【請求項１】
鞄内部の互いに向き合う両側の壁面に、該鞄内部を上下に仕切るための１枚以上の仕切り部材をそれぞれ上下方向の任意の位置に固定できる第一の固定部材を備える、
ことを特徴とする鞄。
【請求項２】
鞄内部を上下に仕切るための１枚以上の仕切り部材と、
該鞄内部の互いに向き合う両側の壁面に、前記仕切り部材をそれぞれ上下方向の任意の位置に固定できる第一の固定部材と、を備える、
ことを特徴とする鞄。
【請求項３】
請求項１又は２に記載の鞄であって、
前記第一の固定部材は、前記壁面の上下方向に延びる帯状である、
ことを特徴とする鞄。
【請求項４】
請求項３に記載の鞄であって、
前記第一の固定部材は、前記壁面の上下方向の長さの少なくとも半分以上の長さである、
ことを特徴とする鞄。
【請求項５】
請求項１〜４いずれか一項に記載の鞄であって、
前記鞄は、上面が開口した略直方体であり、
前記第一の固定部材は、前記開口の短辺に対応する向かい合う両側の壁面に設けられている、
ことを特徴とする鞄。
【請求項６】
請求項１〜５いずれか一項に記載の鞄であって、
前記仕切り部材の両端には、前記第一の固定部材に固定するための第二の固定部材が設けられている、
ことを特徴とする鞄。
【請求項７】
請求項５に記載の鞄であって、
前記仕切り部材は、前記開口の長辺よりも長辺が長い矩形状であり、長手方向の両端に、前記第一の固定部材に固定するための第二の固定部材が設けられている、
ことを特徴とする鞄。
【請求項８】
請求項６又は７に記載の鞄であって、
前記第二の固定部材は、前記仕切り部材を固定した状態で前記第一の固定部材と直交する帯状である、
ことを特徴とする鞄。
【請求項９】
請求項６〜８いずれか一項に記載の鞄であって、
前記第一の固定部材は、ループ状の面ファスナーであり、
前記第二の固定部材は、フック状の面ファスナーである、
ことを特徴とする鞄。
【請求項１０】
請求項１〜９いずれか一項に記載の鞄であって、
前記仕切り部材は、少なくとも一部が、該仕切り部材の反対側を見通すことができる形状または材質からなる、
ことを特徴とする鞄。
【考案の詳細な説明】
【技術分野】
【０００１】
本考案は、鞄に関する。
【背景技術】
【０００２】
買い物によく使用される鞄として、例えば、手提げ鞄や肩掛け鞄などが知られている。これらの鞄は、使い勝手がよいので、買い物に限定されず様々な用途で使用される。
【考案の概要】
【考案が解決しようとする課題】
【０００３】
ところで、鞄の中に収納する物（例えば、購入した商品）には、硬さや重さが異なる物が混じっているため、軟らかい物や軽い物が破損しないように、収納方法を工夫する必要がある。例えば、硬い物や重い物を鞄の下の方に収納して軟らかい物や軽い物を鞄の上の方に収納したり、軟らかい物や軽い物を緩衝材で包んだり、といったようにである。
【０００４】
しかし、鞄に物を収納する都度、収納方法を考えるのは、非常に煩わしい作業である。また、収納方法の考慮を怠ったり収納方法を誤ったりした場合には、収納物が破損するおそれがある。
【０００５】
そこで、本考案は、収納物の保護能力及び収納の利便性がより高い鞄を提供することを目的とする。
【課題を解決するための手段】
【０００６】
上記の課題を解決するための本考案の一態様に係る鞄は、鞄内部の互いに向き合う両側の壁面に、該鞄内部を上下に仕切るための１枚以上の仕切り部材をそれぞれ上下方向の任意の位置に固定できる第一の固定部材を備える、ことを特徴とする。
【０００７】
上記の課題を解決するための本考案の他の態様に係る鞄は、鞄内部を上下に仕切るための１枚以上の仕切り部材と、該鞄内部の互いに向き合う両側の壁面に、前記仕切り部材をそれぞれ上下方向の任意の位置に固定できる第一の固定部材と、を備える、ことを特徴とする。
【０００８】
ここで、前記第一の固定部材は、前記壁面の上下方向に延びる帯状である、ことを特徴としていてもよい。
【０００９】
また、前記第一の固定部材は、前記壁面の上下方向の長さの少なくとも半分以上の長さである、ことを特徴としていてもよい。
【００１０】
また、前記鞄は、上面が開口した略直方体であり、前記第一の固定部材は、前記開口の短辺に対応する向かい合う両側の壁面に設けられている、ことを特徴としていてもよい。
【００１１】
また、前記仕切り部材の両端には、前記第一の固定部材に固定するための第二の固定部材が設けられている、ことを特徴としていてもよい。
【００１２】
また、前記仕切り部材は、前記開口の長辺よりも長辺が長い矩形状であり、長手方向の両端に、前記第一の固定部材に固定するための第二の固定部材が設けられている、ことを特徴としていてもよい。
【００１３】
また、前記第二の固定部材は、前記仕切り部材を固定した状態で前記第一の固定部材と直交する帯状である、ことを特徴としていてもよい。
【００１４】
また、前記第一の固定部材は、ループ状の面ファスナーであり、前記第二の固定部材は、フック状の面ファスナーである、ことを特徴としていてもよい。
【００１５】
また、前記仕切り部材は、少なくとも一部が、該仕切り部材の反対側を見通すことができる形状または材質からなる、ことを特徴としていてもよい。
【図面の簡単な説明】
【００１６】
【図１】本考案の第一実施形態の一例に係る鞄の斜視図である。
【図２】本考案の第一実施形態の一例に係る鞄の内部構造を説明する図である。
【図３】本考案の第一実施形態の一例に係る鞄の仕切り部材の斜視図である。
【図４】本考案の第一実施形態の一例に係る鞄の内部構造を説明する図である。
【図５】本考案の第一実施形態の一例に係る鞄の内部構造を説明する図である。
【図６】本考案の第一実施形態の一例に係る鞄の仕切り部材の配置（使用状態）を説明する図である。
【図７】本考案の第一実施形態の一例に係る鞄の使用方法を説明する図である。
【図８】本考案の第一実施形態の一例に係る鞄の仕切り部材の配置（未使用状態）を説明する図である。
【図９】本考案の第一実施形態の一例の変形例に係る鞄の仕切り部材を説明する図である。
【図１０】本考案の第一実施形態の一例の変形例に係る鞄の内部構造を説明する図である。
【考案を実施するための形態】
【００１７】
以下、本考案の第一実施形態の一例について図面を参照して説明する。
【００１８】
図１は、本考案の第一実施形態の一例に係る鞄の斜視図である。図２は、本考案の第一実施形態の一例に係る鞄の内部構造を説明する図である（説明のため片方の取っ手部３を省略、図４〜８についても同様）。図３は、本考案の第一実施形態の一例に係る鞄の仕切り部材の斜視図である。図４は、本考案の第一実施形態の一例に係る鞄の内部構造を説明する図である（説明のため一部の鞄の壁面を省略、図５、図９、図１０についても同様）。
【００１９】
図５は、本考案の第一実施形態の一例に係る鞄の内部構造を説明する図である。図６は、本考案の第一実施形態の一例に係る鞄の仕切り部材の配置（使用状態）を説明する図である。図７は、本考案の第一実施形態の一例に係る鞄の使用方法を説明する図である。図８は、本考案の第一実施形態の一例に係る鞄の仕切り部材の配置（未使用状態）を説明する図である。
【００２０】
なお、上記の各図は、本考案の特徴を説明するにあたって、鞄の主要構成を示したものであり、例えば、鞄の一部の生地の厚み等は省略されている。また、一般的な鞄に必要な構成を排除するものでもない。
【００２１】
鞄１は、例えば、買い物などでの使用に適した肩掛けないし手提げ鞄である。鞄の生地は、例えば、綿、ナイロンなど、様々な材料で作ることができる。
【００２２】
鞄１は、上側に開口を有し物を収納する袋部２と、開口の長辺に対応する向かい合う両側の壁面の開口付近にそれぞれ取り付けられた一対の取っ手部３と、開口の短辺に対応する向かい合う両側の壁面の袋部２の内部側に、互いに向かい合うように取り付けられた一対の固定部材４とを備える。
【００２３】
袋部２は、上下方向に長い略直方体であり、上面が開口となっている。開口の短辺の壁面の袋部２の内部側には、上下方向に延びる帯状の固定部材４が設けられている。図の例では、固定部材４は、２本の帯から成っている。固定部材４の上下方向の長さは、開口の短辺の壁面の上下方向の長さとほぼ同じとなっている。
【００２４】
固定部材４は、袋部２の内部を上下に仕切るための仕切り部材５を、上下方向の任意の位置（高さ）に取り付けるための部材である。固定部材４は、例えば、面状ファスナー（ループ（ループ状に密集して起毛された側）、又はフック（フック状に起毛された側））であり、これと対応する面状ファスナー（フック、又はループ）である仕切り部材５の固定部材７を着脱できるようになっている。固定部材４は、衣服などが引っ掛かりにくくするため、ループとした方が好ましい。なお、面状ファスナーは、例えば、マジックテープ（登録商標）として知られているものでよい。
【００２５】
仕切り部材５は、矩形状の本体部６と、本体部６の下面の長手方向の両端に取り付けられた一対の固定部材７とを備える。本体部６は、例えば、鞄１と同じ材質で作られる。固定部材７は、本体部６の長手方向と直交する方向に延びる帯状の形状である。固定部材４は、上述のように、例えば、面状ファスナー（フック、又はループ）であり、これと対応する面状ファスナー（ループ、又はフック）である袋部２の固定部材４に対して着脱できるようになっている。
【００２６】
仕切り部材５の短辺の長さは、袋部２の開口の短辺の長さとほぼ同様またはやや短くなっている。仕切り部材５の長辺の長さは、袋部２の開口の長辺よりも長くなっており、仕切り部材５の両端を固定部材７が袋部２の内部の壁面に向かい合うように折り曲げて、固定部材４にくっつけることができるようになっている。すなわち、固定部材４と固定部材７とは直交するように接合され、固定部材４と固定部材７とが重なる一部が接合される。
【００２７】
図６に示すように、固定部材４が袋部２の上下方向に長い形状であるため、仕切り部材５は、袋部２の内部の上下の任意の位置（高さ）に取り付けることができる。なお、仕切り部材５が複数ある場合は、それぞれ異なる位置に取り付けることができる。
【００２８】
また、図７に示すように、仕切り部材５は、袋部２の内部を上下に仕切るとともに、収納物（Ａ〜Ｃ）を載せる部材として使用することができる。
【００２９】
例えば、収納物Ａ及びＤが軟らかい物であり、収納物Ｂ及びＣが硬い物である場合、収納物Ｄを袋部２の一番下に収納しても、その上に仕切り部材５を取り付けて、該仕切り部材５の上に収納物Ｂ及びＣを収納することができる。また、収納物Ｂ及びＣの上にさらに仕切り部材５を取り付けて、該仕切り部材５の上に収納物Ａを収納することができる。
【００３０】
また、例えば、ケーキなどのように安定した状態で持ち運びするのが好ましい物を収納する場合、袋部２の一番下に他の物を収納した後であっても、その上に仕切り部材５を取り付ければ、該仕切り部材５の上に安定した状態で収納することができる。
【００３１】
なお、仕切り部材５を使用しない場合には、例えば、図８に示すように、仕切り部材５を、いずれか片側の壁面の固定部材４に貼り付けておけばよい。このようにすれば、仕切り部材５を使用する場合には、すぐに使用することができ、使用しない場合には、邪魔にならないようにしておくことができる。
【００３２】
以上、本考案の第一実施形態の一例について説明した。このように、本考案によれば、収納物の保護能力及び収納の利便性がより高い鞄を提供することができる。
【００３３】
なお、上記の本考案の実施形態は、本考案の要旨と範囲を例示することを意図し、限定するものではない。多くの代替物、修正および変形例が当業者にとって明らかである。
【００３４】
例えば、固定部材４の形状は、仕切り部材５を上下方向の任意の位置に取り付け可能であれば、上記の実施形態の形状に限られない。例えば、１本の帯であってもよいし、３本以上の帯であってもよい。また、幅が広いほど固定部材７との接合力が増すので、適宜変更してよい。また、例えば、仕切り部材５の固定部材７の形状は、固定部材４と重なる部分が存在すればよいので、帯状でなくてもよい。
【００３５】
また、例えば、固定部材４の上下方向の長さは、仕切り部材５を上下方向の任意の位置に取り付け可能であれば、上記の実施形態の長さ（開口の短辺の壁面の上下方向の長さとほぼ同じ長さ）に限られない。例えば、少なくとも、開口の短辺の壁面の上下方向の長さの半分以上であればよく、取り付け位置は、開口の短辺の壁面の上下方向の間であればよい。
【００３６】
また、例えば、仕切り部材５は、上記の実施形態の形状、材質に限られない。例えば、図９に示すように、仕切り部材５の少なくとも一部８が網目状であってもよい。少なくとも一部が透明な部材であってもよい。このようにすれば、下の空間に何が収納されているかが分かり易くなるとともに、通気性が良くなる。
【００３７】
また、例えば、固定部材４の位置は、上記の実施形態の位置に限られない。例えば、図１０に示すように、袋部２の開口の長辺に対応する向かい合う両側の壁面に、固定部材４を設けるようにする。これに合わせて、仕切り部材５の本体部６の下面の長手方向と直交する方向の両端に一対の固定部材７を設けるようにする。そして、仕切り部材５の長辺の長さは、袋部２の開口の長辺の長さとほぼ同様またはやや短くする。また、仕切り部材５の短辺の長さは、袋部２の開口の短辺よりも長くし、仕切り部材５の両端を固定部材７が袋部２の内部の壁面に向かい合うように折り曲げて、固定部材４にくっつけることができるようにする。
【００３８】
また、例えば、袋部２の４つの壁面全てに固定部材４を設け、これに合わせて、仕切り部材５の全ての端に固定部材７を設けるようにしてもよい。
【００３９】
また、例えば、鞄は、手提げ鞄や肩掛け鞄に限られず、ボストンバッグ、スーツケース、トランク、ランドセル、リュックサック、ナップザック等の鞄であってもよい。いずれの鞄においても、内部の向かい合う壁面に、互いに向かい合うように固定部材４を設け、鞄内部を上下に仕切ることができる形状の仕切り部材５を上下方向の任意の位置に取り付けられるようにすればよい。
【符号の説明】
【００４０】
１：鞄、２：袋部、３：取っ手部、４：固定部材、５：仕切り部材、６：本体部、７：固定部材
【図１】
0003165181.tif 000003
【図２】
0003165181.tif 000004
【図３】
0003165181.tif 000005
【図４】
0003165181.tif 000006
【図５】
0003165181.tif 000007
【図６】
0003165181.tif 000008
【図７】
0003165181.tif 000009
【図８】
0003165181.tif 000010
【図９】
0003165181.tif 000011
【図１０】
0003165181.tif 000012